(57)【要約】【課題】床面との段差がなく、視覚障害者等に識別し易い緩衝用床マットを提供する。【解決手段】この発明のマットは、シート状のクッション材からなる弾性マット２と、該弾性マット２を収容し床面上に敷設される支持マット１とからなり、該支持マット１の表面又は裏面には上記弾性マット２を収容する凹状の収容部３を備え、表面の周縁側には床面に向かって下降傾斜する縁部４を備えている。上記支持マット１の表面に収容部３を設け、該収容部３内に弾性マット２を収容し、該弾性マット１のクッション材表面に表面シート８を固着するとともに、該表面シート８の両側端をクッション材７の両側端より突出させて耳部９としている。さらに支持マット１の収容部３の両側端に耳部９の厚さと幅に対応する段部６を形成し、耳部９を該段部６に接着固定する。また支持マット１の床面側への接地面に収容部３を設け、該収容部３内に弾性マット２を収容することもできる。【選択図】          図１
2004261565.tif 000002
【特許請求の範囲】
【請求項１】
シート状のクッション材からなる弾性マット（２）と、該弾性マット（２）を収容し床面上に敷設される支持マット（１）とからなり、該支持マット（１）の表面又は裏面には上記弾性マット（２）を収容する凹状の収容部（３）を備え、表面の周縁側には床面に向かって下降傾斜する縁部（４）を備えた緩衝用床マット。
【請求項２】
支持マット（１）の表面に収容部（３）を設け、該収容部（３）内に弾性マット（２）を収容し、該弾性マット（１）のクッション材表面に表面シート（８）を固着するとともに、該表面シート（８）の両側端をクッション材（７）の両側端より突出させて耳部（９）とする請求項１の緩衝用床マット。
【請求項３】
支持マット（１）の収容部（３）の両側端に耳部（９）の厚さと幅に対応する段部（６）を形成し、耳部（９）を該段部（６）に接着固定する請求項２の緩衝用床マット。
【請求項４】
支持マット（１）の接地面側に収容部（３）を設け、該収容部（３）内に弾性マット（２）を収容してなる請求項１の緩衝用床マット。
【請求項５】
支持マット（１）が透明な部材よりなる請求項４の緩衝用床マット。
【請求項６】
収容部（３）内に表面側より透視可能な表示部（１０）を設けてなる請求項５の緩衝用床マット。
【請求項７】
請求項１，２，３，４，５又は６に記載のマットの表面に露出する面の一部又は全部に滑り止めを施してなる緩衝用床マット。
【請求項８】
弾性マット（２）を収容部（３）内に接着固定した請求項１，２，３，４，５又は６の緩衝用床マット。
【請求項９】
支持マット（１）を比較的短寸の単位長さに形成し、弾性マット（２）をロール状に巻取り又は繰出し可能な比較的長尺の帯状に形成してなる請求項１，２，３，４，５，６又は７の緩衝用床マット。
【請求項１０】
支持マット（１）と弾性マット（２）を組合せ状態において平面視で十字形，Ｔ字形，Ｌ字形その他の交差状に形成し、通路の交差部を表わす形状とした請求項１，２，３，４，５，６，７又は８の緩衝用床マット。
【請求項１１】
請求項１，２，３，４，５，６，７，８又は９の緩衝用床マット同士を延長すべく接合する構造において、支持マット（１），弾性マット（２）又は表面シート（８）の接合部の継目の位置を平面視において互いに重ならないように所定寸法段違い状にずらして設けた請求項１，２，３，４，５，６，７，８又は９の緩衝用床マット。
【請求項１２】
請求項１，２，３，４，５，６，７，８，９，１０又は１１の緩衝用床マットを床面誘導マットとし、その表面側又は接地面側若しくは断面内にマットの長手方向に沿った線状又はテープ状で金属製の誘導線（１１）を設けた緩衝用床マット。
【発明の詳細な説明】
【０００１】
【発明の属する技術分野】
この発明は、例えば立ち作業者や歩行作業者等の接地床面への敷設用としての又は視覚障害者（例えば、全盲者、弱視者等）の主として屋内での移動のための、認知、識別機能を備えた緩衝用床マットに関する。
【０００２】
【従来の技術】
従来、視覚障害者の歩行を誘導する手段として、駅構内、公共の建物の通路には、上記特許文献１中の図４に示すような点字ブロックや点字タイルが敷設されている。この点字ブロックやタイルは、該表面に歩行者の誘導の助けとなる凹凸を付した正方形又は長方形のブロックを歩行床面に埋設又は固着するものがある。また主として立ち作業や歩行作業を行う作業場や調理場等の作業者の足，腰等を疲れや障害等から保護するマットとして特許文献２に示すものが公知である。
【０００３】
【特許文献１】
特開２００２−２５００１６号公報（第２頁、図４）
【特許文献２】
特開２０００−７０１０８号公報（図２）
【０００４】
【発明が解決しようとする課題】
しかし、上記特許文献１のように設置された点字ブロック等は、その表面の凹凸や段差等により、視覚障害者や肢体不自由者にとっては歩行時のつまづきによる転倒、雨天時や降雪季等の表面の濡れや氷結による転倒等の危険がある。
また病院や肢体不自由者の施設等では車椅子，移動ベット等の走行に際し、ブロック等の表面の凹凸や段差等により、直進走行が妨げられたり、大きな振動を与えて患者等に大きい負担や危険を発生させる等の問題があり、現在病院等では点字ブロックの使用が禁止されている。
【０００５】
その他、点字ブロックを既存の床に新たに設置する場合、厚みを持った構造であるために、既存の床材を点字ブロックの幅で切除し、その切除部分に点字ブロックを嵌め込んで埋設する必要がある。このように床面の切除作業や点字ブロックの埋設作業に時間と労力を要し、コスト高となっていた。
【０００６】
次に立ち作業の足や腰等を保護するための特許文献２のものは、足腰の疲れや障害を防止する点では有効であるが、構造が複雑なためにコスト高であり、重量も大きく取扱いも不便であるという欠点があった。
この発明は、これらの課題を解決又は改善しようとするものである。
【０００７】
【課題を解決するための手段】
上記課題を解決するための本発明の緩衝用床マットは、第１に、シート状のクッション材からなる弾性マット２と、該弾性マット２を収容し床面上に敷設される支持マット１とからなり、該支持マット１の表面又は裏面には上記弾性マット２を収容する凹状の収容部３を備え、表面の周縁側には床面に向かって下降傾斜する縁部４を備えたことを特徴としている。
【０００８】
第２に、支持マット１の表面に収容部３を設け、該収容部３内に弾性マット２を収容し、該弾性マット１のクッション材表面に表面シート８を固着するとともに、該表面シート８の両側端をクッション材７の両側端より突出させて耳部９とすることを特徴としている。
【０００９】
第３に、支持マット１の収容部３の両側端に耳部９の厚さと幅に対応する段部６を形成し、耳部９を該段部６に接着固定することを特徴としている。
【００１０】
第４に、支持マット１の接地面側に収容部３を設け、該収容部３内に弾性マット２を収容してなることを特徴としている。
【００１１】
第５に、支持マット１が透明な部材よりなることを特徴としている。
【００１２】
第６に、収容部３内に表面側より透視可能な表示部１０を設けてなることを特徴としている。
【００１３】
第７に、マットの表面に露出する面の一部又は全部に滑り止めを施してなることを特徴としている。
【００１４】
第８に、弾性マット２を収容部３内に接着固定したことを特徴としている。
【００１５】
第９に、支持マット１を比較的短寸の単位長さに形成し、弾性マット２をロール状に巻取り又は繰出し可能な比較的長尺の帯状に形成してなることを特徴としている。
【００１６】
第１０に、支持マット１と弾性マット２を組合せ状態において平面視で十字形，Ｔ字形，Ｌ字形その他の交差状に形成し、通路の交差部を表わす形状としたことを特徴としている。
【００１７】
第１１に、緩衝用床マット同士を延長すべく接合する構造において、支持マット１，弾性マット２又は表面シート８の接合部の継目の位置を平面視において互いに重ならないように所定寸法段違い状にずらして設けたことを特徴としている。
【００１８】
第１２に、緩衝用床マットを床面誘導マットとし、その表面側又は接地面側若しくは断面内にマットの長手方向に沿った線状又はテープ状で金属製の誘導線１１を設けたことを特徴としている。
【００１９】
【発明の実施の形態】
以下本発明の実施形態を誘導用マットに応用した場合について図面に基づき説明する。図１，図２はこの発明の誘導マットの全体構成を示す斜視図と断面図であり、この例では、誘導マットは支持マット１と、該支持マット１に嵌め込まれ、重ね合わせ面で全面接着される弾性マット２とを備えている。
【００２０】
支持マット１は中央に凹溝状の収容部３と両側には側縁部４を備えており、該側縁部４は、床面との段差を解消するために表面が外側端に向かって下降方向に傾斜する傾斜面を形成している。例えば、この例では側縁部４の傾斜角はおよそ３°に形成されている。またこの傾斜面は必ずしも平坦面である必要はなく、丸みをおびた円弧状の断面の面であってもよい。また収容部３の両側端には、後述する表面シート８の耳部９と接着固定するための段部６が段違い状に形成されている。
【００２１】
弾性マット２は、合成樹脂製の発泡材又は中空材により構成された帯状のクッション材７からなり、上記収容部３内に移動を規制される状態で収容され、その表面側にゴム又は合成樹脂製のシート等により形成され、表面には無機質材等よりなる砂状物等の接着により滑り止め５の加工を施した表面シート８が接着固定されている。上記滑り止めは表面シート８の表面に滑り止め用の凹凸を付したもの又は別の滑り止めシート（図示しない）を接着したものでもよい。そして該表面シート８の両側端にはクッション材７の両側端より突出して耳部９が形成されている。
【００２２】
また、本発明の緩衝用床マットには、移動式・携帯式の送受信装置や同装置付の車椅子等の誘導のための線状又はテープ状で金属製の誘導線１１が埋設されており、図１に示すように弾性マット２のクッション材７と表面シート８の断面内に埋設されている。尚、誘導線１１は支持マット１の断面内，支持マット１と弾性マット２の重ね合わせ面間に埋設し又は表裏いずれかの面に固着したものでも良い。
【００２３】
上記支持マット１の終端又は始端には、図１に示すように端部支持マット１´が接合され、該端部支持マット１´は収容部３と段部６とがそれぞれ端部を閉じるようにコ字形に形成され、その端縁部１２は、前述した側縁部４と同様に終端又は始端に向かって斜め方向に傾斜する傾斜面に形成されている。
【００２４】
これらの構成により支持マット１は、敷設時に側縁部４及び端縁部１２において、床面との段差が解消されるほか、クッション材７の終端部及び始端部の表面シート８にも耳部９が形成されている。
【００２５】
施工時には、比較的短寸の単位長さに形成された支持マット１を、床等の所定位置に接着固定し、図１に示すようにロール状に巻取り繰出し可能に形成された弾性マット２を繰出しながら、収容部３にクッション材７を嵌め込み接着固定する。そして上述の段部６表面に耳部９を嵌め込み、支持マット１と弾性マット２の接合部に段差が生じないように接着固定する。接着はそれぞれの重ね合わせ面に接着剤を塗布し又は両面接着テープ（図示しない）を介挿して接着することができる。
【００２６】
長手方向における接合部について説明すると、支持マット１の接合端１ａと弾性マット２の接合端２ａが同位置の場合（図４参照）、支持マット１同士の接合端１ａが付き合わせ状態で接着固定され、その上面に弾性マット２が接着される。その際、一方の支持マット１の接合端１ａの上面が、隣接する他方の弾性マット２の底面に重なり合い、また弾性マット２同士の接続では、一方の表面シート８の底面が他方の弾性マット２の上面に重なり合う。そして互いの重ね合わせ面および付き合わせ面同士が側面視で同位置に重なり合うことなく位置をずらされて接着固定され、弾性マット２すなわち緩衝用床マットが長手方向に向かって凹凸差を生じることなく接合され、且つ接合部の接合強度を保持する。８ａは表面シート８の接合端である。
【００２７】
また、支持マット１の接続端と弾性マット２の接続端が異なる位置の場合（図５参照）も、支持マット１の接合端１ａと弾性マット２の接合端２ａの位置が異なる以外は、上記の説明と同様に接合される。
【００２８】
交差点は図６に示すように、誘導マットの一部を構成するように、
（ａ）Ｌ字形交差点，
（ｂ）十字形交差点，
（ｃ）Ｔ字形交差点
等の交差部材１４を予め製造しておき、各交差点において適宜必要な部材を使い（図７参照）、支持マット１及び弾性マット２を上述の接続方法により接続し、本発明の緩衝用床マットを設置する。ただし交差部材１４と支持マット１および弾性マット２との接合は、上述の支持マット１の接続端と弾性マット２の接続端が同位置の場合（図４参照）と同様に接合する。また交差部材１４は予め製造するので、上記の例に限らず、三差路等の他の形を作ることもできる。
【００２９】
図７は屋内施設における本発明の誘導マットの敷設例を示し、施設１６における入口１７より通路（廊下）１８が設けられ、該通路１８に接して区画された室１９，２１，２２及びトイレ室２３が設けられている。通路１８の床面中央には本発明の誘導マットが連続して敷設され、接着固定されている。
【００３０】
それぞれの交差点には交差部材１４が配置され、この例では通路１８より室２２とトイレ室２３に歩行者を誘導するように、誘導マットの端部が導入されており、視覚障害者等の歩行者は上記誘導マットによって誘導案内される。
【００３１】
図８〜図１１はこの発明の第２の実施形態を示し、このうち図８〜図１０は支持マット１の弾性マット収容部３が、裏側の接地面側に凹溝状に形成されている。その結果弾性マット２は支持マット１の裏面側の収容部３に収容され、誘導マット敷設状態ではその底面が周縁部４，１２の底面とともに床面に接地し、表面側には表れない状態となる。
【００３２】
そしてマットの表面側はすべて支持マット１で覆われるとともに、その表面全体が前述した例と同様に無機質の砂状物の付着又は支持マット１自体への表面凹凸形成、滑り止めシートの接着等による滑り止め加工が施されている。その他の構成及び機能は前述した例と共通しており、両者の共通部分は共通の符号で表しているので詳細な説明は割愛する。
【００３３】
図８〜図１０に示す構成により、発泡プラスチック材等を用いた弾性マット２の耐久性が向上し、表面の滑り止め加工が施し易い等の利点がある。
【００３４】
図１１は誘導マットの交差点において、図６に示す交差部材１４を用いず、弾性マット２付の端部支持マット１′のみを用いて交差点を構成した例を示している。この例では誘導路（マット）が交差する部分は、床面がそのまま露出した平面空間となっているため、例えば視覚障害者の通常歩行時にも、誘導マットと床面に対する白杖（ステッキ）や足の接触感覚の違いによって交差点であることを感知することになり、より明確な識別が可能となる。
【００３５】
図１２，図１３はこの発明のマットの第３の実施形態を示し、この例では支持マット１の接地面側に収容部３を形成する点で図８〜図１１に示す第２の実施形態と共通している。しかしこの例では支持マット１が透明なプラスチック材で形成され、その接合端１ａと隣接する他のマット１，１ａの接合端１ａとが、互いに嵌合係止して接合されるあり接合を採用している点に特徴がある。
【００３６】
支持マット１が透明部材よりなるため、収容部３の内面側に場所や方向を示す「受付」の文字又は矢印等の表示部（又は表示具）１０を印刷したり内挿することにより、視覚障害のない健常者にとっても有効な案内表示を施すことが可能であり、同様に上面側より透視できる模様（図示しない）を表示することもできる。この表示部１０は夜間又は照明不足の環境でも視認し易いように蛍光性，反射性又は残光性を備えたインク，塗料若しくは材質で表示施工することにより一層の効果が期待できる。
【００３７】
また、内部に収容する弾性マット２の地色を工夫し若しくはその上面に模様等を施して彩色することも可能であるほか、弾性マット２の上面にシート１５を介挿し、該シート１５に上記表示部１０を印刷又は貼着できるとともに、着色されたシート１５を弾性マット２の地色隠しの装飾として利用すること等も可能である。
【００３８】
図１３は図１２のマットと接合する端部支持マット１´の形状例を示すものであり、端部又はその両コーナーがアール形状に加工されている。その他のこの実施形態の発明の特徴は既に述べた図８〜図１１に示す実施形態のものと共通であり、その符号も共通部分は同一符号で表わしている。
【００３９】
上記のように構成されるマットは、必ずしも歩行者等の誘導マットとしてだけではなく、例えば各種作業所等で立ち作業や歩行作業を行う作業者用に立ち作業位置や歩行床面に敷設する緩衝用マットとして利用することが可能であり、平面視形状では長方形のものに限られず正方形，円形，その他多角形であってもよい。
【００４０】
【発明の効果】
以上の如く構成される本発明の緩衝用床マットによれば、以下に示すような効果を奏するものである。
（１）支持マットで弾性マットが保持されるので、支持マットを底面に固定させることにより、固定の難しい弾性マットが確実に底面上の所定位置に保持できるほか、弾性マットは支持マットに収容されることにより保持されるので、弾性マットを損傷することがない。その他、車椅子や移動ベットの走行に大きい振動を与えることがない。
【００４１】
（２）表面シートにすべり止め加工を施したので、滑りによる歩行者の転倒を防止できる。また側縁部を傾斜状に形成し、段差が解消されるので、つまづきによる転倒防止のほか、車椅子，移動ベットの走行時の振動も抑えることができる。
【００４２】
（３）耳部を段部に接着固定することにより、弾性マットと支持マット間の段差が解消されるほか、表面側の跡目が解消されるとともに、弾性マットの固定性が向上する。また支持マットの接地面側に収容部を設けたものは表面側に段差そのものが形成されないという利点がある。
【００４３】
（４）支持マットを比較的短寸の長さに形成し、弾性マットをロール状に巻取り又は繰出し可能な比較的長尺の帯状に形成することにより、支持マットの成形が容易であるとともに、弾性マットの作業時の取扱いが容易である。また交差部材を予め形成したので、交差部の案内が容易，確実に行われ、マット接続が容易である。
【００４４】
（５）２つのマット同士の支持マットと弾性マット又は表面シートの接合端の位置をずらして段違い状に形成することにより、接合部が強化されるとともに、継目が大きくならず、段差の発生も防止できる。また始端部及び終端部も端部方向に傾斜状に形成することにより、つまづきによる転倒を防止することができる。
【００４５】
（６）特に本発明のマットを床面誘導マットに応用することにより、弾性マットの弾力性が支持マットの触感と異なるので、視覚障害者にとっては歩行時の着地感や杖の接触感の変化を感知することによって、通路の分岐や曲り角等を確実に誘導できる利点がある。また段差が出来ないので、車椅子や移動ベット走行時の振動を抑制することができる。
【００４６】
（７）マットの長手方向に沿って金属製の誘導線を埋設することにより、移動・携帯式の送受信装置や同装置付の車椅子等に対する電磁誘導，金属探知誘導等が可能となり、緊急時等の電波発信アンテナにも利用することができる。
【図面の簡単な説明】
【図１】本発明の構造を示す全体斜視図である。
【図２】本発明の内部構造を示す横断面図である。
【図３】本発明の側縁部の内部構造を示す拡大横断面図である。
【図４】本発明の接合状態を示す縦断面図である。
【図５】本発明の他の接合状態を示す縦断面図である。
【図６】（ａ），（ｂ），（ｃ）は本発明の交差部材の例を示す平面図である。
【図７】本発明の設置状態の一例を示す全体平面図である。
【図８】本発明の第２の実施形態を示す全体斜視図である。
【図９】同じく第２の実施形態を示す拡大断面図である。
【図１０】同じくマットの接合部の拡大断面図である。
【図１１】誘導マットの交差部の他の例を示す平面図である。
【図１２】本発明の第３の実施形態を示すマットの斜視図である。
【図１３】（ａ），（ｂ）は第３の実施形態の端部支持マットの形状例を示す平面図である。
【符号の説明】
１，１´    支持マット
２    弾性マット
３    収容部
４    側縁部（縁部）
６    段部
７    クッション材
８    表面シート
９    耳部
１０  表示部
１１  誘導線
１２  端縁部（縁部）
１４  交差部材
１５  シート
【図１】
2004261565.tif 000003
【図２】
2004261565.tif 000004
【図３】
2004261565.tif 000005
【図４】
2004261565.tif 000006
【図５】
2004261565.tif 000007
【図６】
2004261565.tif 000008
【図７】
2004261565.tif 000009
【図８】
2004261565.tif 000010
【図９】
2004261565.tif 000011
【図１０】
2004261565.tif 000012
【図１１】
2004261565.tif 000013
【図１２】
2004261565.tif 000014
【図１３】
2004261565.tif 000015